(57)【特許請求の範囲】
【請求項１】
開口を有するキャビネットと、該キャビネット上に上下回動可能に取り付けられて、開口を覆う弾性体から形成されたカバーを具え、
カバーは基端部に、開口の周縁部下側に位置する抜止め片を有し、
カバーは、抜止め片が開口の周縁部下側に位置した状態を保つ第１の開き位置と、第１の開き位置から更に開く向きに引っ張られて抜止め片の先端部が開口の周縁部に乗り上げる第２の開き位置との間を往動可能に設けられたことを特徴とする電気機器。
【請求項２】
抜止め片にはキャビネットの裏側から内向きに突出した突起が貫通する透孔が開設され、該透孔を貫通した突起の先端部には、押え板が嵌まり、抜止め片はキャビネットの裏側と押え板とで挟まれる、請求項１に記載の電気機器。
【請求項３】
開口の周縁部は、長孔に繋がり、第２の開き位置にて、抜止め片は長孔に嵌まって止まる、請求項１又は２に記載の電気機器。
【発明の詳細な説明】
【技術分野】
【０００１】
本発明は、開口を有するキャビネットと、該キャビネット上に上下回動可能に取り付けられて、開口を覆う弾性体から成るカバーを具えた電気機器に関する。
【背景技術】
【０００２】
従来からキャビネット上に開設され、内部に電気端子等が配備された開口を覆うカバーとして、キャビネットから独立して開口を覆うものがある。しかし、これではカバーを外したときに、カバーを紛失する虞れがあった。
この点に鑑みて、図６(a)、(b)に示すカバー(２)が開示されている(特許文献１参照)。これは、キャビネット(１)の開口(３)に嵌まる本体(20)と、該本体(20)からキャビネット(１)の内側に延びた舌片(28)を一体に形成したカバー(２)であって、ゴム等の弾性材料から形成される。キャビネット(１)の内部には、係合突起(18)が設けられており、舌片(28)の先端部は係合突起(18)に引掛かり可能である。
図６(a)に示すカバー(２)の閉じ状態から、本体(20)を上向きに引き上げると、舌片(28)が折り曲がるように弾性変形して、図６(b)に示すように、カバー(２)が上向きに開き、開口(３)が露出する。舌片(28)が係合突起(18)に引掛かって、カバー(２)がキャビネット(１)から脱落しないから、カバー(２)を紛失する虞れはない。
特にカバー(２)が小型の場合、使用者の操作性、カバー(２)を配備するスペースの余裕及び外観上のデザインの観点から、カバー(２)を弾性体から形成し、撓ませて開閉する構成が必然的となる。
【０００３】
【特許文献１】特開平９−８４７２号公報
【発明の開示】
【発明が解決しようとする課題】
【０００４】
図６(a)、(b)に示すカバー(２)は、舌片(28)が弾性体であるから、カバー(２)を開いた際に、図６(b)に示す状態から、カバー(２)が弾性復帰して、閉じ状態に戻ろうとする。これでは、カバー(２)を開いて、開口(３)内の端子等にプラグ(図示せず)を装着する際の操作性が悪い。
本発明の目的は、弾性体から成り、キャビネット上に上下回動可能に取り付けられたカバーを開き状態に保つことを簡素な構成で実現することにある。
【課題を解決するための手段】
【０００５】
カバー(２)は基端部に開口(３)の周縁部下側に位置する抜止め片(21)を有し、
カバー(２)は、抜止め片(21)が開口(３)の周縁部下側に位置した状態を保つ第１の開き位置と、第１の開き位置から更に開く向きに引っ張られて抜止め片(21)の先端部が開口(３)の周縁部に乗り上げる第２の開き位置との間を往動可能に設けられている。
また、抜止め片(21)にはキャビネット(１)の裏側から内向きに突出した突起(11)が貫通する透孔(24)が開設され、該透孔(24)を貫通した突起(11)の先端部には、押え板(４)が嵌まり、抜止め片(21)はキャビネット(１)の裏側と押え板(４)とで挟まれる。
【発明の効果】
【０００６】
カバー(２)を第１の開き位置から更に開く向きに引っ張ると、カバー(２)は、抜止め片(21)の先端部が開口(３)の周縁部に乗り上げる第２の開き位置に達する。該第２の開き位置で、カバー(２)から手を離しても、抜止め片(21)の先端部が開口(３)の周縁部に繋がった長孔(30)に軽く圧入され嵌まって止まり、カバー(２)は閉じない、即ち、開き状態を保つ。これにより、開口(３)内の端子等にプラグ(図示せず)を装着する際の操作性を簡素な構成且つ狭いスペース内にて、改善することができる。
また、キャビネット(１)の裏側から内向きに突出した突起(11)が、抜止め片(21)の透孔(24)に嵌まることにより、カバー(２)の横方向の位置決めがなされる。押え板(４)は突起(11)に嵌まって、横方向の位置決めがされる。カバー(２)の抜止め片(21)は、キャビネット(１)の裏側と押え板(４)の水平板(40)とで挟まれているから、カバー(２)の上下のガタ付きを抑えることもできる。
【発明を実施するための最良の形態】
【０００７】
以下、本発明の一実施例を図を用いて詳述する。
図１は、電気機器の斜視図であり、デジタルカメラを例示する。キャビネット(１)の上端部には、マイク端子用のカバー(２)が設けられている。カバー(２)はゴム等の弾性体から形成され、キャビネット(１)に対して外向きに回動可能に取り付けられている。
図２は、キャビネット(１)のカバー(２)取付け箇所を拡大した斜視図である。キャビネット(１)には凹面(10)が開設され、該凹面(10)内に開口(３)が開設されている。開口(３)内にマイク端子(図示せず)が配備される。凹面(10)の周縁部は、長孔(30)に繋がる。
【０００８】
図３は、カバー(２)の側面図である。カバー(２)は開口(３)を覆う本体(20)と、本体(20)から略水平に延びた長片(22)と、該長片(22)の基端部下方に位置する抜止め片(21)と、長片(22)の基端部と抜止め片(21)とを繋ぐ連結片(23)とを具える。長片(22)の上面には、凹凸を連続して形成した滑止め部(25)が設けられている。抜止め片(21)には透孔(24)が開設され、該透孔(24)には後記の如く、キャビネット(１)の裏側から内向きに突出した突起(11)が貫通する。
【０００９】
図４は、キャビネット(１)のカバー(２)取付け箇所を、裏側から見た斜視図である。キャビネット(１)のカバー(２)取付け箇所の裏側からは、金属板を折曲して形成された押え板(４)が取り付けられ、押え板(４)はカバー(２)に向かって折曲された水平板(40)を具える。水平板(40)には、スリット(41)が開設されている。
【００１０】
図５(a)、(b)は、カバー(２)の開き状態を示す正面断面図である。連結片(23)は長孔(30)に嵌まり、抜止め片(21)はキャビネット(１)の裏側であって開口(３)の周縁部(図５(a)、(b)のＢ)下側に位置して、カバー(２)のキャビネット(１)からの抜けを防いでいる。
キャビネット(１)の裏側からは、突起(11)が内向きに突出し、該突起(11)は抜止め片(21)の透孔(24)を貫通する。これにより、カバー(２)の横方向の位置決めが成される。
更に、透孔(24)を貫通した突起(11)の先端部には、押え板(４)のスリット(41)が嵌まる。即ち、押え板(４)は突起(11)に嵌まって、横方向の位置決めがされる。また、カバー(２)の抜止め片(21)は、キャビネット(１)の裏側と押え板(４)の水平板(40)とで挟まれているから、カバー(２)の上下のガタ付きを抑えることもできる。
【００１１】
図５(a)に示すように、長片(22)を上向きに撓ませて、カバー(２)を手で開くと、開口(３)が露出し、マイク端子へのプラグの装着が可能となる。抜止め片(21)は、キャビネット(１)の裏側(開口(３)の周縁部Ｂの下側)に留まる。この状態で、カバー(２)から手を離すと、カバー(２)は弾性力によって閉じ位置に戻らんとする。この位置を第１の開き位置とする。
【００１２】
第１の開き位置から更に、図５(b)に示すように、カバー(２)を折り曲げるように開く向きに引っ張ると、抜止め片(21)の先端部が長孔(30)に軽く圧入され嵌まって止まる。この位置を第２の開き位置と呼ぶ。該第２の開き位置で、カバー(２)から手を離しても、抜止め片(21)の先端部が嵌まっているため、カバー(２)は閉じない、即ち、カバー(２)は開き状態を保つ。これにより、開口(３)内の端子等にプラグ(図示せず)を装着する際の操作性を簡素な構成且つ狭いスペース内にて、改善することができる。
尚、抜止め片(21)の先端部が開口(３)の周縁部に乗り上げるようにしてもよい。
【００１３】
第２の開き位置にあるカバー(２)を閉じるには、カバー(２)を手で引き込み、抜止め片(21)の先端部が開口(３)の周縁部に乗り上げた状態を解除する。カバー(２)は弾性を有するから、カバー(２)は自動的に閉じる。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例にあっては、電気機器として、デジタルカメラを例示したが、弾性体のカバー(２)を用いる他の電気機器にも応用可能なのは勿論である。
【図面の簡単な説明】
【００１５】
【図１】デジタルカメラの斜視図である。
【図２】キャビネットのカバー取付け箇所を拡大した斜視図である。
【図３】カバーの側面図である。
【図４】キャビネットのカバー取付け箇所を、裏側から見た斜視図である。
【図５】(a)、(b)は、カバーの側面図であり、(a)は第１の開き位置を、(b)は第２の開き位置を示す。
【図６】(a)、(b)は、従来のカバーの側面図であり、(a)は閉じ位置を、(b)は開き位置を示す。
【符号の説明】
【００１６】
(１)  キャビネット
(２)  カバー
(３)  開口
(４)  押え板
(11)  突起
(21)  抜止め片
(24)  透孔
【図１】
0004553816.tif 000002
【図２】
0004553816.tif 000003
【図３】
0004553816.tif 000004
【図４】
0004553816.tif 000005
【図５】
0004553816.tif 000006
【図６】
0004553816.tif 000007